(57)【要約】【課題】  作業者が樹木に登る必要がなく、またポールの強度が低下することのない操作棒を提供する。【解決手段】  操作棒１は、複数の同径のポール２，２０・・の端部同士を連結機構１０によって連結してなり、連結するポール２，２０・・の数の選択により、全長を調整可能としたことにより、作業者が樹木に登る必要がないことから、樹木から落下する危険がない。また、ポール２やポール２０が一方の端部から他方の端部に向かって徐々に細くなる構造ではないことから、ポール２やポール２０の強度が低下することなく、紐材の掛け渡し作業を安定して行うことが可能である。【選択図】図１
0003198940.tif 000002
【実用新案登録請求の範囲】
【請求項１】
伐採後の樹木の傾倒方向を操作する紐材を樹木に掛け渡す操作棒であって、
複数の同径のポールの端部同士を連結機構によって連結してなり、連結する前記ポールの数の選択により、全長を調整可能としたことを特徴とする操作棒。
【請求項２】
前記連結機構は、一方のポール端部で、外周の半径方向に突出した係止突起が、他方のポール端部に設けられた係止孔に係止することを特徴とする請求項１に記載の操作棒。
【請求項３】
前記ポールは、単独で伸縮可能としたことを特徴とする請求項１又は２に記載の操作棒。
【考案の詳細な説明】
【技術分野】
【０００１】
本考案は、紐材を樹木に掛け渡す操作棒に関する。
【背景技術】
【０００２】
従来より、伐採木を安全な方向に倒れさせるためにロープ（紐材）で引っ張る方法では、そのロープを伐採木に掛け止める伐採木用ロープ取付用具が知られている（特許文献１）。
【０００３】
このような伐採木用ロープ取付用具では、作業者が伐採する樹木の先端まで登る必要があり、高所であることから昇降時や作業時には落下する危険があった。これに対し、伸縮ポールを用いて樹木の先端にロープを掛け渡す方法が知られている（特許文献２）。
【０００４】
しかし、このような伸縮ポールを用いて樹木の先端にロープを掛け渡す方法では、作業者が樹木の先端まで登る必要がないことから、落下する危険がなくなり安全である。しかし、伸縮ポールが釣り竿状の構造であることから、先端へ進むに従って軸部分が徐々に細くなり、背が高い樹木の場合には、軸部分先端の強度が低く、ロープの重さで湾曲してしまい、掛け渡しが困難になるという問題があった。
【先行技術文献】
【特許文献】
【０００５】
【特許文献１】特開２０１０−１６６８８８号公報
【特許文献２】特開２００２−１７１８４号公報
【考案の概要】
【考案が解決しようとする課題】
【０００６】
そこで、本考案の目的は、上記従来の伐採木用ロープ取付用具や伸縮ポールの問題点を解消し、作業者が樹木に登る必要がなく、またポールの軸部分の強度が低下することのない操作棒を提供することにある。
【課題を解決するための手段】
【０００７】
本考案のうち、請求項１に記載された考案は、伐採後の樹木の傾倒方向を操作する紐材を樹木に掛け渡す操作棒であって、
複数の同径のポールの端部同士を連結機構によって連結してなり、連結する前記ポールの数の選択により、全長を調整可能としたことを特徴とするものである。
【０００８】
請求項２に記載された考案は、請求項１に記載の考案に加え、前記連結機構は、一方のポール端部で、外周の半径方向に突出した係止突起が、他方のポール端部に設けられた係止孔に係止することを特徴とするものである。
【０００９】
請求項３に記載された考案は、請求項１又は２に記載の考案に加え、前記ポールは、単独で伸縮可能としたことを特徴とするものである。
【考案の効果】
【００１０】
請求項１に記載された操作棒は、作業者が樹木に登る必要がないことから、樹木から落下する危険がない。また、ポールが一方の端部から他方の端部に向かって徐々に細くなる構造ではないことから、ポールの強度が低下することなく、紐材の掛け渡し作業を安定して行うことが可能である。
【００１１】
請求項２に記載された操作棒は、係止及び係止の解除が容易であり、また繰り返し使用することも可能である。他にも、構造が単純であることから安価に製作することができる。
【００１２】
請求項３に記載された操作棒は、操作棒の全長の微調整が可能である。
【図面の簡単な説明】
【００１３】
【図１】（ａ）はポール同士が連結される前の状態を示し、（ｂ）は連結された後の状態を示す説明図である。
【図２】ポール後端の断面を示す説明図である。
【図３】ポール先端の断面を示す説明図である。
【図４】（ａ）〜（ｃ）はポール同士を連結する過程を示す説明図である。
【考案を実施するための形態】
【００１４】
以下、本考案の操作棒の一実施形態について、図面に基づいて詳細に説明する。
【００１５】
図１は、ポール同士が連結される前後の状態を示す説明図である。図２は、ポール後端の断面を示す説明図である。図３は、ポール先端の断面を示す説明図である。図４は、ポールを連結する過程を示す説明図である。
【００１６】
先ず初めに、図１（ａ）に示すように、操作棒１は、伸縮機構を備え、ロープを樹木に取り付けるロープ取付用具（図示せず）を先端に接続可能とする前段のポール２に、同じく伸縮機構を備えた後段のポール２０を連結機構１０によって連結して構成するものである。
【００１７】
このうち、ポール２は、軸棒６と、この軸棒６内を上下に移動することで伸縮可能とするスライド棒５とで構成される。
この軸棒６の先端には、図示しないネジ溝が形成されており、ネジ溝には軸方向にスリットが設けられていることから、上段ネジ３を螺合すると、それに伴って軸棒６の先端が閉塞され、スライド棒５の移動位置を固定する構造である。この時、下段ネジ４を上段ネジ３の回転方向と反対の方向に螺合すると、下段ネジ４が上段ネジ３に当接し、上段ネジ３が固定される。
【００１８】
他にも、棒材６の後端には、連結凹部１１が取り付けられている。具体的には、図２に示すように、この連結凹部１１は、円筒状のカバー本体１４の先端に設けられるボルト１５を、軸棒６後端に設けられるネジ孔７に螺合することで、軸棒６と一体に取り付ける構造である。また、カバー本体１４の外周には、内壁１３を貫通する係止孔１２が穿設されている。
【００１９】
一方、ポール２０もポール２と同様に、軸棒３５と、この軸棒３５内を上下に移動することで伸縮可能とするスライド棒３４とで構成される。
この軸棒３５の先端には、図示しないネジ溝が形成されており、ネジ溝には軸方向にスリットが設けられていることから、上段ネジ３２を螺合すると、それに伴って軸棒３５の先端が閉塞され、スライド棒３４の移動位置を固定する構造である。そして、下段ネジ３３を上段ネジ３２の回転方向と反対の方向に螺合すると、下段ネジ３３が上段ネジ３２に当接し、上段ネジ３２が固定される。
【００２０】
次に、スライド棒３４の先端には、連結凸部２１が取り付けられている。具体的には、図３に示すように、この連結凸部２１は、円筒状のシャフト本体２７の後端に設けられるネジ孔３１に、スライド棒３４の先端に設けられるボルト３６を螺合することで一体に取り付ける構造である。
【００２１】
この連結凸部２１は、後端側に鍔部３０を形成する一方、先端側を円筒状に形成したシャフト本体２７において、外周には内壁２８を貫通する貫通孔２９が穿設されている。内壁２８内には、円柱状のブロック２５が挿入されており、このブロック２５の中央には、半径方向に凹状の開口部２６が設けられている。そして、この開口部２６の中にはバネ２４が配置されている。このバネ２４によって係止突起２２を外側へと押し出す付勢力が常に働いているが、係止突起２２の基端には、貫通孔２９より径が大きく、開口部２６の内径より径が小さい鍔状の周縁部２３が形成されており、係止突起２２がシャフト本体２７の外部へ飛び出すことを防止する。
また、図１（ａ）に示すように、軸棒３５の後端に取り付けられる連結凹部３７も、軸棒６の連結凹部１１の場合と同様の構造である。
【００２２】
このようにして構成される操作棒１の組み立ては、以下のように行われる。
先ず初めに、図４（ａ）に示すように、軸棒６後端に取り付けられた連結凹部１１内に、スライド棒３４の先端に取り付けられた連結凸部２１を、矢印が示す方向に挿入する。
この時、そのままシャフト本体２７をカバー本体１４内に挿入すると、シャフト本体２７の軸部分外周から突出する係止突起２２の側面が、カバー本体１４の内壁１３に当接することとなる。
【００２３】
その後、図４（ｂ）に示すように、係止突起２２の先端を、導入孔１３の内壁より内側に押し込み、更にシャフト本体２７をカバー本体１４内に挿入する。この時、ブロック２５では、係止突起２２がブロック２５の開口部２６内に押し込まれていることから、バネ２４が押し縮められた状態となっている。
【００２４】
そして、図４（ｃ）に示すように、更にシャフト本体２７をカバー本体１４内に挿入すると、カバー本体１４の端部がシャフト本体２７の鍔部３０に当接し、連結凹部１１に連結凸部２１の挿入が完了する。
この時、カバー本体１４には、外周に係止孔１２が穿設されていることから、ブロック２５の開口部２６内に押し込められた係止突起２２が、バネ２４の付勢力によって押し出されて係止孔１２内から先端が突出することとなる。これにより、図１（ｂ）に示すように、連結凸部２１が連結凹部１１から抜けることを防止する連結機構１０による抜け止めが掛かったロック状態となる。
なお、操作棒１の長さが更に必要な場合には、他のポール２０をポール２０に連結することで操作棒１の長さ調整を行う。具体的には、図４（ａ）〜（ｃ）と同様の手順で、ポール２０の連結凹部３７に、他のポール２０の連結凸部２１を挿入して新たな連結機構１０を構成する。
【００２５】
一方、連結機構１０によるロック状態の解除は、以下のように行われる。
先ず初めに、貫通孔２９から突出した係止突起２２を、先端が導入孔１３の内壁より内側まで押し込むことで、係止突起２２の係止を解除する。そして、この状態で連結凸部２１を連結凹部１１内から引き抜くと、ポール２とポール２０とが別体になる。
更にポール２０の連結凹部３７に、他のポール２０の連結凸部２１を連結した場合には、係止突起２２を導入孔１３の内壁より内側まで押し込むことで、同様に抜け止めの解除を行い、他のポール２０の連結凸部２１を連結凹部３７から引き抜くと、ポール２０と他のポール２０とが別体になる。
【００２６】
上記の如く構成される操作棒１は、複数の同径のポール２，２０・・の端部同士を連結機構１０によって連結してなり、連結するポール２，２０・・の数の選択により、全長を調整可能としたことにより、作業者が樹木に登る必要がないことから、樹木から落下する危険がない。また、ポール２やポール２０が一方の端部から他方の端部に向かって徐々に細くなる構造ではないことから、ポール２やポール２０の強度が低下することなく、紐材の掛け渡し作業を安定して行うことが可能である。
【００２７】
また、連結機構１０は、一方のポール２０端部で、外周の半径方向に突出した係止突起２２が、他方のポール２端部に設けられた係止孔１２に係止することにより、係止突起２２の係止及び係止の解除が容易であり、また繰り返し使用することも可能である。他にも、構造が単純であることから安価に製作することができる。
【００２８】
加えて、ポール２，２０は、単独で伸縮可能としたことにより、操作棒１の全長の微調整が可能である。
【００２９】
なお、本考案にかかる操作棒の構成は、上記した実施の形態に何ら限定されるものではなく、本発明の趣旨を逸脱しない範囲で、スライド棒や軸棒の長さや形状等を適宜変更することができる。
【００３０】
例えば、連結凹部１１は、軸棒６の下端に取り付けられており、連結凸部１２がスライド棒３４の先端に取り付けられているが、必ずしもこの組合せである必要はなく、反対に、軸棒６の下端に連結凸部１２を取り付け、スライド棒３４の先端に連結凹部１１を取り付けても良く、ポール２，２０や、ポール２０，２０同士が連結する構造であれば良い。
【００３１】
他にも、係止突起２２の係止孔１２への係止は、必ずしも一カ所のみで行う必要はなく、複数であっても良く、適宜変更可能である。
【符号の説明】
【００３２】
１・・操作棒、２・・ポール（ロープ取付側）、３・・上段ネジ、４・・下段ネジ、５・・スライド棒、６・・軸棒、７・・ボルト孔、１０・・連結機構、１１・・連結凹部、１２・・係止孔、１３・・導入孔、１４・・カバー本体、１５・・ボルト、２０・・ポール、２１・・連結凸部、２２・・係止突起、２３・・周縁部、２４・・バネ、２５・・ブロック、２６・・開口部、２７・・シャフト本体、２８・・内壁、２９・・貫通孔、３０・・鍔部、３１・・ボルト孔、３２・・上段ネジ、３３・・下段ネジ、３４・・スライド棒、３５・・軸棒、３６・・ボルト、３７・・連結凹部、３８・・カバー本体。
【図１】
0003198940.tif 000003
【図２】
0003198940.tif 000004
【図３】
0003198940.tif 000005
【図４】
0003198940.tif 000006